(57)【要約】【課題】１つのオスコネクタ内に分割した２つの第１、第２メスコネクタを嵌合ロックする際のロック音及び挿入力の低下を防止する。【解決手段】オスコネクタハウジングは１つのロック穴を備える一方、第１メスコネクタは嵌合奥側で片持ち支持されて挿入側に延在するロックアームを備え、該ロックアームの上面に前記ロック穴に挿入係止するメインロック爪が突設されていると共に該ロックアームの作動端側の下面にＬ形状の従動片を備え、該従動片の横板部にサブロック爪を備える一方、前記第２メスコネクタは前記サブロック爪を押し下げて乗り越えてロック位置に係止されるロック片を備え、前記ロック片で前記サブロック爪を押し下げる時に前記ロックアームを作動して前記メインロック爪を前記ロック穴から離脱させ、前記ロック片がサブロック爪を乗り越えてロック位置に達した時点で前記ロックアームが原状復帰して前記メインロック爪が前記ロック穴に挿入係止する構成としている。【選択図】図７
2017103121.tif 000002
【特許請求の範囲】
【請求項１】
１つのオスコネクタのハウジング内の左右両側に２つに分割した第１メスコネクタと第２メスコネクタハウジングを嵌合する分割コネクタであって、
前記オスコネクタハウジングは１つのロック穴を備える一方、前記第１メスコネクタは嵌合奥側で片持ち支持されて挿入側に延在するロックアームを備え、該ロックアームの上面に前記ロック穴に挿入係止するメインロック爪が突設されていると共に該ロックアームの作動端側の下面にＬ形状の従動片を備え、該従動片の横板部にサブロック爪を備える一方、
前記第２メスコネクタは前記サブロック爪を押し下げて乗り越えてロック位置に係止されるロック片を備え、
前記ロック片で前記サブロック爪を押し下げる時に前記ロックアームを作動して前記メインロック爪を前記ロック穴から離脱させ、前記ロック片がサブロック爪を乗り越えてロック位置に達した時点で前記ロックアームが原状復帰して前記メインロック爪が前記ロック穴に挿入係止する構成としていることを特徴とする分割コネクタ。
【請求項２】
前記第１メスコネクタのロックアームにストッパーを設け、該ストッパーに前記第２メスコネクタの前記ロック片が接触して挿入を停止すると共に、該ストッパーと前記サブロック爪で前記ロック片を挟持して、該第２メスコネクタを前記第１メスコネクタにロック結合する構成としている請求項１に記載の分割コネクタ。
【請求項３】
前記オスコネクタは前記第１メスコネクタと前記第２メスコネクタとを左右に合体した形状の単一メスコネクタを互換して嵌合可としており、該単一メスコネクタに前記第１メスコネクタのメインロック爪を設けたロックアームと同一形状のロック爪を設けたロックアームを設けている請求項１または請求項２に記載の分割コネクタ。
【請求項４】
請求項１乃至請求項３のいずれか１項に記載の分割コネクタを用い、前記オスコネクタ内に前記第１メスコネクタを先入れしてロック結合しておき、後入れする第２メスコネクタを前記第１メスコネクタにロック結合する工程で、前記第１メスコネクタと前記オスコネクタのロックを一旦解除し、前記第２メスコネクタを第１メスコネクタにロック結合すると同時に、一旦解除されている第１メスコネクタとオスコネクタをロックする分割コネクタのロック方法。
【発明の詳細な説明】
【技術分野】
【０００１】
本発明は分割コネクタおよび該分割コネクタのロック方法に関し、詳しくは、車両に搭載される電子制御ユニット（ＥＣＵ）側の１つのオスコネクタに、該ＥＣＵで制御される機器側のワイヤハーネス端末に接続された２つのメスコネクタを嵌合する分割コネクタにおいて、コネクタ嵌合時に１対１で嵌合する場合と同様な節度音およびの節度感が得られるようにするものである。
【背景技術】
【０００２】
自動車等の車両に搭載される電装品としてＥＣＵで制御される機器が増加しており、これらの機器に接続したワイヤハーネスの端末のコネクタとＥＣＵのコネクタとが接続されている。ＥＣＵで制御される機器の位置が車種やグレード、ボデイ構造によって相違する場合、また、グレードによる装備の有無がある場合、ＥＣＵのプリント基板の回路変更およびプリント基板に実装した基板コネクタを変更する必要がある。
【０００３】
前記問題に対して、本出願人は特開２０１２−５９４７３号公報で、ＥＣＵ側の１つの基板コネクタに、ワイヤハーネス側の１つのコネクタと分割した複数のコネクタを互換可能に嵌合できるコネクタ接続構造を提案している。
【０００４】
１つのオスコネクタに単一のメスコネクタまたは２つのメスコネクタを互換して嵌合できる具体例として、本出願人は特開平１０−１０６６７０号公報で、図１２（Ａ）（Ｂ）に示す分割式コネクタ１００を提供している。該分割式コネクタ１００はオスハウジング１０１内の左右半側部に２つの分割したメスハウジング（ブロック）１０２、１０３をそれぞれ嵌合している。該分割したメスハウジング１０２、１０３は左右対称形状で、上面中央のロックアームも左右対称に分割されたロックアーム１０２ａ、１０３ａとなり、これらロックアーム１０２ａ、１０３ａに設けられたロック爪１０２ｒ、１０３ｒはオスハウジング１０１の上壁中央に設けた係合孔１０１ｒ１、１０１ｒ２に挿入係止される。
なお、コネクタハウジング内に収容する端子がオス端子であればオスコネクタと称し、コネクタハウジング内に挿入する端子がメス端子であれはメスコネクタと称し、前記オスコネクタの雌状のコネクタハウジングに、メスコネクタの雄状のコネクタハウジングを内嵌する場合が多い。
【先行技術文献】
【特許文献】
【０００５】
【特許文献１】特開２０１２−５９４７３号公報
【特許文献２】特開平１０−１０６６７０号公報
【発明の概要】
【発明が解決しようとする課題】
【０００６】
自動車組立ラインで雌雄コネクタを嵌合させる場合、各自動車メーカにおいて嵌合作業を確実なものとするため、挿入力、挿入フィーリング（挿入力の楽さ、挿入波形、ロック音等）の基準があり、雌雄コネクタの嵌合作業時に前記基準を満足させる必要がある。
【０００７】
１つのオスコネクタに２つに分割したメスコネクタを嵌合する分割コネクタにおいて、従来例の前記図１２に示す構造とすると、ロック部が左右に分割されるため、ロックアーム１０２ａのロック爪１０２ｒ、ロックアーム１０３ａのロック爪１０３ｒおよび係合孔１０１ｒ１、１０１ｒ２が単一のメスコネクタの場合と比較して半分の大きさになる。よって、分割したメスコネクタハウジングをオスコネクタハウジングに挿入してロック結合するに要する挿入力は半分となり、ロック結合時に発生する節度音も半分と小さくなり、挿入フィーリングが悪化する。その結果、車両組立ラインで要求される嵌合基準を満足できなくなる可能性がある。
【０００８】
本発明は、前記問題を解決せんとするもので、１つのオスコネクタハウジング内に２つに分割したメスコネクタハウジングを嵌合する際に、分割していない１つのメスコネクタハウジングを嵌合する場合と同様な挿入フィーリングおよび節度感を得られる構造とすることを課題としている。
【課題を解決するための手段】
【０００９】
前記課題を解決するため、本発明は、１つのオスコネクタのハウジング内の左右両側に２つに分割した第１メスコネクタと第２メスコネクタハウジングを嵌合する分割コネクタであって、
前記オスコネクタハウジングは１つのロック穴を備える一方、前記第１メスコネクタは嵌合奥側で片持ち支持されて挿入側に延在するロックアームを備え、該ロックアームの上面に前記ロック穴に挿入係止するメインロック爪が突設されていると共に該ロックアームの作動端側の下面にＬ形状の従動片を備え、該従動片の横板部にサブロック爪を備える一方、
前記第２メスコネクタは前記サブロック爪を押し下げて乗り越えてロック位置に係止されるロック片を備え、
前記ロック片で前記サブロック爪を押し下げる時に前記ロックアームを作動して前記メインロック爪を前記ロック穴から離脱させ、前記ロック片がサブロック爪を乗り越えてロック位置に達した時点で前記ロックアームが原状復帰して前記メインロック爪が前記ロック穴に挿入係止する構成としていることを特徴とする分割コネクタを提供している。
【００１０】
また、前記本発明の分割コネクタでは、前記第１メスコネクタのロックアームにストッパーを設け、該ストッパーに前記第２メスコネクタの前記ロック片が接触して挿入を停止すると共に、該ストッパーと前記サブロック爪で前記ロック片を挟持して、該第２メスコネクタを前記第１メスコネクタにロック結合する構成としている。
【００１１】
このように、第１メスコネクタと第２メスコネクタのロック結合と第１メスコネクタとオスコネクタのロック結合を同時に行うため、メインロック爪をロック穴に挿入係止する際に発生するロック音（節度音）が小さくならず、かつ、ロック結合時の挿入力も低減せず、コネクタ同士を嵌合してロック結合する際に要求される基準を満たすことができる。
【００１２】
前記オスコネクタは前記第１メスコネクタと前記第２メスコネクタとを合体した形状の単一メスコネクタを互換して嵌合可としており、該単一メスコネクタに前記第１メスコネクタのメインロック爪を設けたロックアームと同一形状のロック爪を設けたロックアームを設けている。
【００１３】
このように、共用するオスコネクタに互換して嵌合する一方の単一メスコネクタに設けるロック機構と分割した第１メスコネクタに設けるロック機構を同一形状とすると、分割コネクタを嵌合する際に分割していない単一コネクタを嵌合する際に発生するロック音および挿入フィーリングと同等のロック音および挿入フィーリングを得ることができる。
【００１４】
また、本発明は、前記オスコネクタ内に前記第１メスコネクタを先入れしてロック結合しておき、後入れする第２メスコネクタを前記第１メスコネクタにロック結合する工程で、前記第１メスコネクタと前記オスコネクタのロックを一旦解除し、前記第２メスコネクタを第１メスコネクタにロック結合すると同時に、一旦解除されている第１メスコネクタとオスコネクタをロックする分割コネクタのロック方法を提供している。
【発明の効果】
【００１５】
前記本発明は、オスコネクタ内に分割した第１メスコネクタと第２メスコネクタとを嵌合する分割コネクタにおいて、オスコネクタの空洞内の半側部分に第１メスコネクタを先入れしてロック結合しておき、後入れする第２メスコネクタを前記第１メスコネクタのロック結合する工程で、前記第１メスコネクタと前記オスコネクタのロックを一旦解除し、前記第２メスコネクタを第１メスコネクタにロック結合すると同時に、一旦解除されている第１メスコネクタとオスコネクタをロックする構成としている。このように、コネクタを分割してもロック爪は分割せずに大きくしているため、ロック時にロック音および挿入力が低減せず、要求される基準を満たすことができる。
【図面の簡単な説明】
【００１６】
【図１】（Ａ）は本発明の実施形態の分割コネクタの斜視図、（Ｂ）は該分割コネクタと互換されてオスコネクタに嵌合する単一メスコネクタの斜視図である。
【図２】電子制御ユニットのコネクタとの接続状態を示す概略図である。
【図３】前記オスコネクタを示し、（Ａ）は斜視図、（Ｂ）は（Ａ）のＢ−Ｂ線断面図である。
【図４】分割コネクタの第１メスコネクタの斜視図である。
【図５】（Ａ）は前記第１メスコネクタの正面図、（Ｂ）は右側面図である。
【図６】分割コネクタの第２メスコネクタを示し、（Ａ）は斜視図、（Ｂ）は正面図、（Ｃ）は右側面図である。
【図７】前記分割コネクタの嵌合工程を示す図面である。
【図８】（Ａ）は前記第１メスコネクタに第２メスコネクタを嵌合する過程の斜視図、（Ｂ）はオスコネクタ内での嵌合過程を示す図面である。
【図９】前記第２メスコネクタの挿入で前記オスコネクタと第１メスコネクタのロックを解除する過程を示す断面図である。
【図１０】（Ａ）〜（Ｄ）は前記第２メスコネクタと第１メスコネクタとをロック結合すると共に第１メスコネクタをオスコネクタとロック結合している状態を示す図面である。
【図１１】図１（Ｂ）の単一メスコネクタをオスコネクタに嵌合する状態を示す斜視図である。
【図１２】（Ａ）（Ｂ）は従来例を示す斜視図である。
【発明を実施するための形態】
【００１７】
以下、本発明の分割コネクタの実施形態を図面を参照して説明する。  
実施形態の分割コネクタ１は、図１（Ａ）に示すように、１つのオスコネクタ３に、分割した第１メスコネクタ１０と第２メスコネクタ２０を嵌合できる構造としたものである。分割した第１メスコネクタ１０は先入れするベースメスコネクタ、第２メスコネクタ２０は後入れするサブメスコネクタとなる。
【００１８】
前記オスコネクタ３は、図２に示すように、自動車に搭載するＥＣＵ（電子制御ユニット）５０のケース内に収容したプリント基板５１上に実装しており、該プリント基板５１に設けられた導体５２と接続したオス端子５３Ａ、５３Ｂがオスコネクタ３のコネクタハウジング４の後面壁４ｇに設けた端子穴（図示せず）から突出している。前記ＥＣＵ５０により２つの機器６１、６２を制御するものとし、これら機器６１、６２にそれぞれ接続するワイヤハーネス６６、６７の端末に第１メスコネクタ１０、第２メスコネクタ２０をそれぞれ接続し、前記ＥＣＵ５０のオスコネクタ３に嵌合している。
前記分割した２つの第１、第２メスコネクタと互換して、機器６０と接続するワイヤハーネス６５の端末の１つの単一メスコネクタ２をオスコネクタ３に嵌合する場合もある。
【００１９】
図３（Ａ）（Ｂ）に示すように、ＥＣＵ５０に設けるオスコネクタ３のコネクタハウジング４は上壁４ａ、下壁４ｂ、左右壁４ｃ、４ｄを備えた内部が空洞の枠状としている。後面壁４ｇに設けた端子穴からオス端子５３Ａ、５３Ｂが突入され、前面開口４ｅから第１メスコネクタ１０と第２メスコネクタ２０が嵌合される。上壁４ａの左右幅方向の中央に逆凹形状に段状に突出した中央突出部４ｈを備え、該中央突出部４ｈに前端から寸法（ａ）の位置に幅方向を寸法（ｄ）としたの矩形状のロック穴５を設けている。ロック穴５を設けた中央突出部４ｈの板厚を（ｔ）とし、ロック穴５の深さを（ｔ）としている。
【００２０】
分割した第１メスコネクタ１０はオスコネクタ３のコネクタハウジング４内の図中左半側部に嵌合し、第２メスコネクタ２０は右半側部に嵌合する形状としている。かつ、コネクタハウジング４内には、前記のように、第１メスコネクタ１０を嵌合した後に、第２メスコネクタ２０を嵌合するものとしている。
【００２１】
図４および図５に示す第１メスコネクタ１０のコネクタハウジング１１は上下２段の端子収容室１２を備えている。オスコネクタ３のコネクタハウジング４内にコネクタハウジング１１を嵌合した状態で、幅方向の中央側となる図中右側部に上段を切り欠いた下段部１１ａを設けている。下段部１１ａの後端から上方に支持壁１１ｂを突設し、該支持壁１１ｂの上部から前端まで延在するロックアーム１３を設けている。
【００２２】
該ロックアーム１３の上面１３ａは長方形とし、該上面１３ａはコネクタハウジング１１の上壁１１ｄより上方に配置し、オスコネクタ３の中央突出部４ｈ内に丁度嵌まり込む形状としている。ロックアーム１３は後部側の支持壁１１ｂで片持ち状態となり、前方を上下移動可能としている。
【００２３】
ロックアーム１３の上面１３ａに、前端から寸法（ａ’、ａ＝ａ’）をあけた位置にメインロック爪１５を突設している。メインロック爪１５は前端から後端に向けて上面が下向き傾斜する三角形状としている。該メインロック爪１５の前後寸法を（ｂ）、前端の高さ寸法を（ｃ）とし、寸法（ｃ）を（ｃ≧ｔ）とし、かつ、幅方向寸法を（ｄ’）としている。該寸法（ｄ’）はロック穴５の幅方向寸法（ｄ）と略同等とし、ロック穴５に丁度嵌合する大きさとしている。
【００２４】
メインロック爪１５の突設位置より後部のロックアーム１３の下面にストッパー１６を突設している。該ストッパー１６は前記第２メスコネクタ２０をオスコネクタ３に挿入する時に、所定位置で第２メスコネクタ２０を停止するものである。
【００２５】
ロックアーム１３の下面に前端からメインロック爪１５の後端位置と対応する位置まで前後方向に延在するＬ字状の従動片１８を下垂している。該従動片１８は横板部１８ａと該横板部１８ａの左端からロックアーム１３の下面とを連続する縦板部１８ｂを備えた形状としている。前記横板部１８ａの下面とコネクタハウジング１１の下段部１１ａの上面との間に隙間Ｓ２をあけている。かつ、従動片１８の後端とストッパー１６との間に隙間（ｊ）をあけている。
【００２６】
さらに、横板部１８ａの上面には、メインロック爪１５の突設位置と対応する真下位置にサブロック爪１９を突設している。該サブロック爪１９は前端から後端に向けて傾斜して突出する三角形状で、メインロック爪１５と前後逆形状としている。該サブロック爪１９の前後寸法（ｍ）はメインロック爪１５の前後寸法（ｂ）と同等（ｍ＝ｂ）とし、かつ、後端の高さ寸法（ｃ’）はメインロック爪１５の前端の高さ寸法（ｃ）と同等（ｃ’＝ｃとしている。
【００２７】
図６に示すように、第２メスコネクタ２０のコネクタハウジング２１は上下２段の端子収容室２２を備えている。該コネクタハウジング２１の図中左側面は上端を切り欠いて、段状の下段部２１ａを設けている。該第２メスコネクタ２０をオスコネクタ３のコネクタハウジング４内に嵌合した状態で、図１０（Ｂ）に示すように、第１メスコネクタ１０の下段部１１ａと前記下段部２１ａが同じ高さで連続した凹部２５を構成するものとしている。
【００２８】
コネクタハウジング２１の左側面２１ｂの前後方向中間部に左側方に突出したロック片２３を突出している。該ロック片２３はコネクタハウジングの左側面２１ｂに沿う縦部２３ｂの上端に横向き押下部２３ａを突出させている。該横向き押下部２３ａの前端はコネクタハウジング２１の前端から寸法（ｆ）をあけた位置に設けている。該ロック片２３の前後長さ寸法を（ｂ’）とし、コネクタハウジング２１の前端からロック片２３の前端までの寸法を（ｆ）としている。この長さ（ｆ）は第１メスコネクタ１０のサブロック爪１９の後端からコネクタハウジング１１の前端までの寸法（ｆ’）と同等としている。かつ、ロック片２３の後端とコネクタハウジング２１の前端までの寸法（ｇ）は第１メスコネクタ１０のストッパー１６の前端とコネクタハウジング１１の前端との寸法（ｇ’）と同等としている。
【００２９】
前記サブロック爪１９と前記ストッパー１６との間の寸法（ｊ）を、ロック片２３の前後寸法（ｂ’）と同一寸法としている。該寸法とすることで、サブロック爪１９とストッパー１６との間にロック片２３を挟持して、第２メスコネクタ２０をロックするようにしている。
【００３０】
２つに分割した前記第１、第２メスコネクタ１０、２０と互換して、図１（Ｂ）および図１１に示すように、メスコネクタ３のコネクタハウジング４に単一メスコネクタ２を嵌合する場合もある。該単一メスコネクタ２の左右幅は図１０（Ｂ）に示すように第１、第２メスコネクタ１０、２０を結合した状態の左右幅と同じで、前後長さおよび高さも同じである。
【００３１】
単一メスコネクタ２のコネクタハウジング３１の上壁３１ａの中央に、第１メスコネクタ１０に設けるロックアーム１３と同形状のロックアーム３３を設けている。該ロックアーム３３の後部を上壁３１ａに支持壁３１ｂを介して連続させ、ロックアーム１３と同様に前端が上下動可の片持ちタイプとしている。該ロックアーム３３の上面にロック爪３５を設けており、該ロック爪３５の設置位置および形状はメインロック爪１５と同様としている。即ち、左右幅（ｄ’）、ロック爪の高さ（ｃ）は同一としている。
【００３２】
図１１に示すように、前記単一メスコネクタ２をオスコネクタ３に嵌合する際、ロック爪３５が上壁４ａにより押し下げられ、ロックアーム３３は前方傾斜しながら、ロック爪３５がロック穴５に挿入していく。ロック爪３５がロック穴５に完全に挿入するとロックアーム３３が水平方向に原状復帰してロック結合する。このロック結合時にロック挿入力に応じた大きさのロック音（節度音）が発生して、ロック結合がなされた節度感（ロック結合フィーリング）が作業者に生じる。
【００３３】
図７〜図１０に示す分割した第１メスコネクタ１０と第２メスコネクタ２０をオスコネクタ３に嵌合する際、前記単一メスコネクタ２をオスコネクタ３に嵌合する際と同程度の挿入力を要するものとし、ロック結合時に同様な音量のロック音が発生するようにしている。
【００３４】
第１、第２メスコネクタ１０、２０をオスコネクタ３に嵌合する作業は、まず、オスコネクタ３のコネクタハウジング４内の図中左半側部分に第１メスコネクタ１０を挿入する。該第１メスコネクタ１０のコネクタハウジング１１の左側壁をコネクタハウジング４の左壁４ｃの内面に接触させて挿入していく。該挿入作業時、ロックアーム１３は前記単一メスコネクタ２のロックアーム３３と同一形状で、ロック爪３５と同一位置に同一形状のメインロック爪１５を設けているため、同一挿入力でロック穴５にメインロック爪１５がロック結合し、同じ音量のロック音が発生する。
【００３５】
次に、図７に示すように、第１メスコネクタ１０が既に嵌合してロック結合しているオスコネクタ３の空洞の図中右半側部分に第２メスコネクタ２０を挿入する。図８に示すように、第２メスコネクタの左側面および下面を第１メスコネクタ１０の右側壁およびコネクタハウジング４の下壁内面に当接させて押し込むと、第２メスコネクタ２０に突設しているロック片２３の下面が第１メスコネクタ１０の従動片１８の横板部１８ａの上面に当接し、摺接しながら押し込まれる。
【００３６】
ロック片２３の後端がサブロック爪１９に接すると、図９に示すように、ロック片２３でサブロック爪１９を押し下げながら押し込まれる。サブロック爪１９が押し下げられると、サブロック爪１９を設けている従動片１８、該従動片１８を下垂しているロックアーム１３が前方に下方傾斜する。このように、ロックアーム１３が下方傾斜すると、上面に突設しているメインロック爪１５も下降し、オスコネクタ３のロック穴５からメインロック爪１５が下方へ離脱していく。第２メスコネクタ２０の押し込みに応じてサブロック爪１９およびメインロック爪１５が押し下げられていき、メインロック爪１５がロック穴５より下方に離脱してロック解除がなされる。該ロック解除はロックアーム１３の下面に突設したストッパー１６がコネクタハウジング１１の下段部１１ａの上面に当接した位置で終了する。
【００３７】
ロック片２３がサブロック爪１９の突出した後端を乗り越えると、図１０に示すように、ロック片２３の前端面にサブロック爪１９の後端面が接した状態で下方へ落ち込み、後方のストッパー１６とサブロック爪１９との間に挟持された状態となる。よって、第２メスコネクタ２０は前後移動ができない状態となり、このロック位置にロック片２３がロックされて第２メスコネクタ２０は第１メスコネクタ１０にロック固定される。
【００３８】
前記のように、第２メスコネクタ２０がロックされる際、ロック片２３によるサブロック爪１９の押し下げが解除され、従動片１８およびロックアーム１３の前方が上昇して原状に戻る。ロックアーム１３の原状復帰により、メインロック爪１５はオスコネクタ３のロック穴５に再挿入してロック結合し、第１メスコネクタ１０がオスコネクタ３内にロック固定される。このロック結合はメインロック爪１５がロック穴５に挿入係止してなされるため、単一メスコネクタ２をオスコネクタ３にロック結合した時と同じ状態であるため、同一の節度音が発生し、同一の挿入フィーリングを得ることができる。
【００３９】
前記のように、本発明の分割コネクタ１では、オスコネクタ３内に嵌合してメインロック爪１５をロック穴５に挿入係止してロック結合する第１メスコネクタ１０を、後挿入する第２メスコネクタ２０のロック片２３でサブロック爪１９を押し下げることによりロックアーム１３を下向き傾斜させてメインロック爪１５をロック穴より離脱させて一旦ロック解除する。該ロック解除により第２メスコネクタ２０を押し込んで第１メスコネクタ１０のサブロック爪１９でロック結合すると同時に、サブロック爪１９およびロックアーム１３を原状に戻して、メインロック爪１５をロック穴５に挿入係止させる。
【００４０】
このように、第２メスコネクタ２０を第１メスコネクタ１０にロック固定し、該第１メスコネクタ１０をオスコネクタ３にロック固定でき、分割した第１、第２メスコネクタ１０、２０の両方をオスコネクタ３内に固定できる。しかも、第１、第２メスコネクタ１０、２０の両方のロック結合をメインロック爪１５をロック穴５に挿入することにより行い、該ロック機構が単一メスコネクタ２をオスコネクタ３にロック結合するロック機構と同一であるため、同一のロック音及びロックフィーリングを得ることができる。
【符号の説明】
【００４１】
１  分割コネクタ
２  単一メスコネクタ
３  オスコネクタ
４、１１、２１  コネクタハウジング
５  ロック穴
１０  第１メスコネクタ
１３  ロックアーム
１５  メインロック爪
１６  ストッパー
１８  従動片
１９  サブロック爪
２０  第２メスコネクタ
２３  ロック片
【図１】
2017103121.tif 000003
【図２】
2017103121.tif 000004
【図３】
2017103121.tif 000005
【図４】
2017103121.tif 000006
【図５】
2017103121.tif 000007
【図６】
2017103121.tif 000008
【図７】
2017103121.tif 000009
【図８】
2017103121.tif 000010
【図９】
2017103121.tif 000011
【図１０】
2017103121.tif 000012
【図１１】
2017103121.tif 000013
【図１２】
2017103121.tif 000014